(57)【要約】【課題】  転倒しても容器本体内の液体が外部に容易に漏れ出すことを抑制することができる電気貯湯容器を提供する。【解決手段】  液体を収容して加熱するための容器本体と、容器本体の上方の開口部を覆うための蓋体４とを備え、蓋体４の底部には、容器本体内で発生した蒸気を流入させるための流入口１５を備え、蓋体４の外面には、該流入口１５からの蒸気を蓋体４の外側に排出するための排出口１６を備え、流入口１５と排出口１６との間に蒸気案内経路１７を介在してなる電気貯湯容器であって、蒸気案内経路１７が、容器本体の中心軸方向と直交する平面上に、流入口１５からの蒸気を案内するための第１案内部１８と、第１案内部１８の終端から流入口１５側へ折り返して排出口１６へ案内する第２案内部１９を備えた。【選択図】図６
2010131234.tif 000002
【特許請求の範囲】
【請求項１】
液体を収容して加熱するための容器本体と、該容器本体の上方の開口部を覆うための蓋体とを備え、該蓋体の底部には、前記容器本体内で発生した蒸気を流入させるための流入口を備え、該蓋体の外面には、該流入口からの蒸気を該蓋体の外側に排出するための排出口を備え、前記流入口と前記排出口との間に蒸気案内経路を介在してなる電気貯湯容器であって、
前記蒸気案内経路が、前記容器本体の中心軸方向と直交する平面上に、前記流入口からの蒸気を案内するための第１案内部と、該第１案内部の終端から前記流入口側へ折り返して前記排出口へ案内する第２案内部とを有する折曲経路を備えていることを特徴とする電気貯湯容器。
【請求項２】
前記容器本体に、上下方向に長い把持部を有する取手を備え、前記蓋体の底部のうちの該取手の左右方向中心線と前記容器本体の中心とを結ぶ延長線により区分けされる２つの領域のうちの一方の領域内に前記流入口を配置したことを特徴とする請求項１記載の電気貯湯容器。
【請求項３】
前記流入口が、一方の領域のうちの前記容器本体の外周縁近傍に配置され、前記第１案内部が、該流入口からの蒸気を前記容器本体の中心又は中心近傍を通って他方の領域の外周縁近傍まで案内する経路からなり、該第１案内部の終端から該流入口側へ折り返したことを特徴とする請求項２記載の電気貯湯容器。
【請求項４】
前記流入口に、前記蒸気案内経路の上端よりも上方に立ち上げた筒状部を備え、筒状部の上端から排出される蒸気を取り囲んで前記第１案内部へ下降案内するための覆い部を備えていることを特徴とする請求項１〜３のいずれか１項に記載の電気貯湯容器。
【請求項５】
前記蒸気案内経路内に、堰を設ける、又は前記蒸気案内経路に案内方向において案内幅が狭くなる部分を設けていることを特徴とする請求項１〜４のいずれか１項に記載の電気貯湯容器。
【発明の詳細な説明】
【技術分野】
【０００１】
本発明は、液体を収容して加熱するための容器本体と、該容器本体の上方の開口部を覆うための蓋体とを備え、液体を加熱して沸騰することにより発生する蒸気を容器本体の外部に排出することで、容器本体の内圧が異常に高くなることがないように構成された電気貯湯容器に関する。
【背景技術】
【０００２】
上記のように、電気貯湯容器では、容器本体に液体を収容して加熱して沸騰することによって、容器本体内で発生する蒸気を外部に排出することで、容器が破損することがないようにしている。具体的には、発生した蒸気を取り込むための流入口を蓋体の底部に形成するとともに、蓋体の上端外面に流入口から取り込んだ蒸気を外部に排出するための排出口を形成し、前記流入口と排出口とを、蒸気案内経路形成用の軟質樹脂パイプにより連結している（例えば、特許文献１参照）。
【特許文献１】実開平６−３８８１８号公報（図１、図２参照）
【発明の開示】
【発明が解決しようとする課題】
【０００３】
上記特許文献１の構成では、緩やかに湾曲した湾曲形状の軟質樹脂パイプにより、流入口と排出口とを単に連結しているだけであるため、例えば電気貯湯容器が転倒した場合に、容器本体内の液体が流入口を通して軟質樹脂パイプ内に直ちに入り込んでしまう。そして、軟質樹脂パイプ内に入り込んだ液体が軟質樹脂パイプの終端まで移動したのち、排出口を通して外部に漏れ出してしまうことがあり、改善の余地があった。
【０００４】
本発明は前述の状況に鑑み、解決しようとするところは、転倒しても容器本体内の液体が外部に容易に漏れ出すことを抑制することができる電気貯湯容器を提供するものである。
【課題を解決するための手段】
【０００５】
本発明の電気貯湯容器は、前述の課題解決のために、液体を収容して加熱するための容器本体と、該容器本体の上方の開口部を覆うための蓋体とを備え、該蓋体の底部には、前記容器本体内で発生した蒸気を流入させるための流入口を備え、該蓋体の外面には、該流入口からの蒸気を該蓋体の外側に排出するための排出口を備え、前記流入口と前記排出口との間に蒸気案内経路を介在してなる電気貯湯容器であって、前記蒸気案内経路が、前記容器本体の中心軸方向と直交する平面上に、前記流入口からの蒸気を案内するための第１案内部と、該第１案内部の終端から前記流入口側へ折り返して前記排出口へ案内する第２案内部とを有する折曲経路を備えていることを特徴としている。
【０００６】
上記のように、蒸気案内経路を、前記容器本体の中心軸方向と直交する平面上に形成することによって、容器本体の転倒時において、流入口に入り込んでくる液体の方向に対して９０度異なる方向に液体を方向転換させることになることから、液体の移動に抵抗を与えて、液体の移動速度を減速させることができる。また、蒸気案内経路を、流入口からの蒸気を案内するための第１案内部と、該第１案内部の終端から前記流入口側へ折り返して前記排出口へ案内する第２案内部とを有する折曲経路を備えることによって、容器本体の転倒時において、液体の移動距離を長くすることができるだけでなく、折り返された部分において液体の移動方向が大きく変更されることから、液体の移動に抵抗を与えて、液体の移動速度を減速させることができる。
【０００７】
また、本発明の電気貯湯容器は、前記容器本体に、上下方向に長い把持部を有する取手を備え、前記蓋体の底部のうちの該取手の左右方向中心線と前記容器本体の中心とを結ぶ延長線により区分けされる２つの領域のうちの一方の領域内に前記流入口を配置してもよい。
【０００８】
また、本発明の電気貯湯容器は、前記流入口が、一方の領域のうちの前記容器本体の外周縁近傍に配置され、前記第１案内部が、該流入口からの蒸気を前記容器本体の中心又は中心近傍を通って他方の領域の外周縁近傍まで案内する経路からなり、該第１案内部の終端から該流入口側へ折り返してもよい。
【０００９】
上記のように、第１案内部が、容器本体の外周縁近傍に配置された流入口からの蒸気を前記容器本体の中心又は中心近傍を通って他方の領域の外周縁近傍まで案内する経路に構成するようにすれば、容器本体の幅をできる限り利用して経路長を長くすることができ、容器本体の転倒時に、液体が漏れ出すまでの時間を長くすることができる。
【００１０】
また、本発明の電気貯湯容器は、前記流入口に、前記蒸気案内経路の上端よりも上方に立ち上げた筒状部を備え、筒状部の上端から排出される蒸気を取り囲んで前記第１案内部へ下降案内するための覆い部を備えてもよい。
【００１１】
上記のように、流入口に、蒸気案内経路の上端よりも上方に立ち上げた筒状部を備え、筒状部の上端から排出される蒸気を取り囲んで前記第１案内部へ下降案内するための覆い部を備えるようにすれば、容器本体の転倒時に、流入口から流入した液体が一旦上昇した後、下降してから蒸気案内経路に移動することになり、液体の移動経路を長くすることができるだけでなく、上昇から下降へ液体が方向転換するときに液体に移動抵抗が付与され、液体の移動速度を減速させることができる。
【００１２】
また、本発明の電気貯湯容器は、前記蒸気案内経路内に、堰を設ける、又は前記蒸気案内経路に案内方向において案内幅が狭くなる部分を設けるようにすれば、堰を設けた部分及び案内幅が狭くなる部分において液体に移動抵抗を付与することができ、液体の移動速度を減速させることができ、更に好ましい。
【発明の効果】
【００１３】
蒸気案内経路が、前記容器本体の中心軸方向と直交する平面上に、前記流入口からの蒸気を案内するための第１案内部と、該第１案内部の終端から前記流入口側へ折り返して前記排出口へ案内する第２案内部とを有する折曲経路を備えることによって、容器本体が転倒した場合において、容器内の液体が流入口から排出口まで移動する時間を、従来のような単純な湾曲形状にしたパイプのみで構成した場合に比べて長くすることができるから、容器本体内の液体が外部に容易に漏れ出すことを抑制することができる電気貯湯容器を提供することができる。
【発明を実施するための最良の形態】
【００１４】
図１に、本発明の電気貯湯容器の一例である電気ポット（電気ケトルともいう）を示している。
前記電気ポットは、水を収容してお湯を沸かすためのポット本体１と、このポット本体１に電力を供給してポット本体内に備えた電熱装置（図示せず）を駆動するための電力供給用の台座２とを備えている。ここでは、台座２には図示していない電源コードを接続することによって、コードレス式のポット本体１を構成することができる場合を示しているが、台座２をポット本体１に組み込んで、電源コードを備えたポット本体１から電気ポットを構成してもよい。
【００１５】
前記ポット本体１は、水を収容するために上端が開放された有底筒状でかつ平面視において外形が円形となる容器本体３と、該容器本体３の上端の開口を閉じるために装着される平面視において円形で、かつ、側面視において外形が円弧状の蓋体４とを備えている。
【００１６】
前記容器本体３は、図示していないが、金属製（たとえばステンレス製）で有底筒状の収容部と、この収容部の外側を覆うための合成樹脂製のカバー部とを備えている。
【００１７】
前記容器本体３の外側面の特定一箇所、具体的には図６（ａ），（ｂ）に示すように、蓋体４に対して点対象となる位置に、上下方向に長い把持部５Ａを有する取手５を備えている。
【００１８】
前記蓋体４には、図１〜図３に示すように、容器本体３の上端開口を閉じるとともに注出口１０を形成するための合成樹脂製の底部材６と、この底部材６の上面にビス止めされて後述する操作部材７を取り付けるための合成樹脂製の中間部材８と、中間部材８の上方を覆うための合成樹脂製のカバー部材９とを備えている。尚、前記底部材６は、板状で円形の円盤部６Ａと、この円盤部６Ａの外周縁に下方に垂下するスカート部６Ｂと、前記円盤部６Ａの上面の一箇所に上方に突出して前記注出口１０を形成するための環状に形成された縦壁部６Ｃとを備えている。
【００１９】
また、前記底部材６には、容器本体３内のお湯を蓋体４へ流入させるための取込口１４（図４参照）及び該取込口１４から流入したお湯を外部へ流出させるための前記注出口１０が形成されている。さらに、前記取込口１４を閉じる開閉自在な弁体１１が、底部材６と中間部材８とで形成される空間内に入り込んだ状態で配置され、前記注出口１０を閉じる開閉自在な蓋部１２が、前記底部材６と中間部材８との間に配置されている。そして、弁体１１の開放動作に連動して蓋部１２を開放させるべく、弁体１１と蓋部１２とを連係している。
【００２０】
前記弁体１１は、図３にも示すように、円筒状の本体１１Ａと、この本体１１Ａの下端に一体形成された円弧状の弁部１１Ｂと、この弁部１１Ｂを覆うように被せられたゴム製の弾性材１１Ｃとを備えている。
【００２１】
前記構成の弁体１１は、前記取込口１４の上方に位置しかつ前記底部材６の上面に当接して取込口１４を閉じる閉じ位置と、この閉位置から設定距離上昇して該取込口１４を開放する開放位置とに位置するように、蓋体４に昇降自在に取り付けている。また、前記弁部１１Ｂには、コイルスプリング１３が外装されており、弁体１１を閉じ位置に付勢することができるようになっている。
【００２２】
そして、前記弁体１１は、蓋体４に備えられた操作部材７により昇降操作できるように構成されている。このように構成された弁体１１の直上方には、前記蓋部１２が揺動開閉自在に配置され、前記操作部材７により弁体１１を上昇操作することにより該弁体１１が前記蓋部１２に当接して該蓋部１２を開放操作することができるようになっている。
【００２３】
前記蓋部１２は、図３にも示すように、揺動軸を構成する棒状の軸体１２Ａと、前記注入口１０を閉じる蓋１２Ｂと、軸体１２Ａと蓋１２Ｂとを連結する下方に突出湾曲した連結部１２Ｃとを備えるとともに、自重により閉じ位置に付勢されている。
【００２４】
前記蓋体４から突出する操作部材７の操作部７Ａを、前記取手５の直上方に配置して、取手５を持つ一方の手で操作部７Ａを操作することができるようになっている。
【００２５】
前記操作部材７は、前記弁体１１に長手方向一端部が連結され、かつ、長手方向中間部において水平軸芯Ｘ周りで揺動自在に取り付けられた揺動部材７Ｂと、該揺動部材７Ｂの長手方向他端に連結された操作部７Ａとを備えている。
【００２６】
尚、前記操作部材の一端に備えた傾斜部７ｃには、前記操作部材７を一端から挿入可能な貫通孔７Ｋを備えている。従って、操作部材７の挿入状態において操作部材７の一端に備えさせた一対の係止部７Ｓ，７Ｓ（図３では左側のみ図示）が貫通孔に係止することによって、操作部材７を傾斜部７ｃに係止固定することができるように構成されている。
【００２７】
前記のように構成された電気ポット内のお湯を湯呑み等の他の容器に注ぐときの手順を説明する。
【００２８】
まず、片手で電気ポットの取手５を掴むとともに掴んだ片手の親指（他の指でもよい）で操作部７Ａを下方に押圧操作する。この押圧操作により、揺動部材７Ｂが揺動操作されて、閉じ位置の弁体１１が上方に移動し、弁体１１が開放位置まで移動する。このとき、弁体１１の弁部１１Ｂが弾性材１１Ｃを介して蓋部１２の連結部１２Ｃを上方側に押し上げるように連結部１２Ｃに当接して、蓋部１２が開放する。
【００２９】
蓋部１２が開放すると、電気ポットを傾けることによって、注出口１０を容器の開口に臨ませて、注出口１０を介してお湯を容器へ注出することができる。尚、容器への注出が完了した後は、操作部７Ａへの押圧を解除することによって、コイルスプリング１３の付勢力により弁体１１が閉位置まで移動する。
【００３０】
前記電気ポットには、容器本体３内で発生した蒸気が蓋体４を通して外部に排出されるように構成されており、その構成を次に説明する。
【００３１】
前記蓋体４の底部、つまり底部材６には、前記容器本体３内で発生した蒸気を流入させるための流入口１５を備え、該蓋体４の外面、つまりカバー部材９の外面には、該流入口１５からの蒸気を該蓋体４の外側に排出するための排出口１６を備え、前記流入口１５と前記排出口１６との間に蒸気案内経路１７及び蒸気案内経路１７の終端まで案内された蒸気を前記排出口１６まで案内するための円筒状の排気管２０を介在している。尚、前記排出口１６は、多数の排気孔９Ａから構成されている。
次に、蒸気案内経路１７を図５（ａ），（ｂ）及び図６（ａ），（ｂ）に基づいて説明する。
【００３２】
前記蒸気案内経路１７が、前記容器本体３の中心軸方向と直交する平面上に、前記流入口１５からの蒸気を案内するための第１案内部１８と、該第１案内部１８の終端から前記流入口１５側へ折り返して前記排出口側、つまり排気管２０の始端へ案内する第２案内部１９とを有する折曲経路を備えており、流入口１５から排気管２０の始端までの経路が長くなるようにしている。
【００３３】
前記蒸気案内経路１７は、前記底部材６の上面６ａと前記中間部材８に上方に膨出形成された膨出部８Ａとの間に形成され、膨出部８Ａの終端に上方に前記排気管２０を一体形成している。そして、前記底部材６の上面６ａと膨出部８Ａとの間にシール材２１を介在することによって、両者を密閉することができるようになっている。
【００３４】
図５（ａ）及び図６（ａ），（ｂ）に示すように、前記流入口１５は、前記蓋体４の底部である底部材６のうちの該取手５の左右方向中心線Ｃと前記容器本体３の中心とを結ぶ延長線Ｅにより区分けされる２つの領域である第１領域Ｒ１及び第２領域Ｒ２のうちの一方の第１領域Ｒ１内に配置されている。
【００３５】
前記流入口１５が、前記第１領域Ｒ１のうちの前記容器本体３の外周縁近傍、つまり中間部材８の外周縁８Ｇ近傍に配置されている。また、前記第１案内部１８が、該流入口１５からの蒸気を前記容器本体３、つまり中間部材８の中心Ｄ近傍（中心でもよい）を通って他方の第２領域Ｒ２の外周縁近傍、つまり中間部材８の外周縁８Ｇ近傍まで案内する湾曲経路（直線経路でもよいし、蛇行した経路やジグザグに屈曲した経路でもよい）からなり、該第１案内部１８の終端から該流入口１５側へ折り返されている。
【００３６】
前記第２案内部１９は、第１案内部１８の終端から所定角度で折り返された折り返し部１９Ａと、折り返し部１９Ａの終端から更に折り返され第１案内部１８とほぼ平行となり、かつ、第１案内部１８よりも幅広となる幅広部１９Ｂと、この幅広部１９Ｂの終端からほぼ９０度方向転換されて中間部材８の中心Ｄに向かう経路延長部１９Ｃとを備えている。
【００３７】
また、図５（ｂ）に示すように、前記流入口１５には、前記蒸気案内経路１７の上端よりも上方に立ち上げた筒状部２２を備え、筒状部２２の上端から排出される蒸気を取り囲んで前記第１案内部へ下降案内するための覆い部２３を備えている。従って、電気ポットが転倒することにより、容器本体３内の液体（お湯）が筒状部２２の上端から上方に移動すると、覆い部２３の内面２３Ａに液体が衝突して下方に方向転換させられる。このとき、液体の移動速度が減速されることになり、排出口１６までの移動時間を長くすることができる。
【００３８】
更に、流入口１５を、図６（ａ），（ｂ）に示すように、取手５と蓋部１２の間のほぼ中央位置（蓋部１２寄りであれば更によい）から右横側の第１領域Ｒ１の外周縁８Ｇに寄った位置に配置している。図６（ａ）では、蓋部１２から見て右側面部と取手５とが床面に接触する右側に転倒した電気ポットを示している。このような転倒時において、容器本体３のお湯の水位がＬ１の場合には、Ｌ２の水位になるまで流入口１５から第１案内部１８に流れ込んでしまうが、水位がＬ２及びＬ３の場合には、流入口１５が上側に位置していることから、お湯が第１案内部１８に流れ込んで外部にお湯が漏れ出すことがなく、取手５寄りに流入口１５を配置した場合に比べてお湯の漏れる量を少なくできる。
【００３９】
また、第１案内部１８と第２案内部１９との折れ曲がり部２３を、取手５と蓋部１２の間のほぼ中央位置（蓋部１２寄りであれば更によい）から左横側の第２領域Ｒ２の外周縁８Ｇに寄った位置に配置している。図６（ｂ）では、図６（ａ）とは左右が反対となる転倒、つまり蓋部１２から見て左側面部と取手５とが床面に接触する左側に転倒した電気ポットを示している。この場合、容器本体３のお湯の水位がＬ１の場合には、Ｌ２の水位になるまで流入口１５から第１案内部１８に流れ込んでしまうが、水位がＬ２及びＬ３の場合には、折れ曲がり部２３が上側に位置していることから、お湯が第１案内部１８に流れ込んでも、折れ曲がり部２３から第２案内部１９に流れ込んで外部にお湯が漏れ出すことがなく、取手５寄りに折れ曲がり部２３を配置した場合に比べてお湯の漏れる量を少なくできる。尚、前記電気ポットが平面視において、円形であるとともに、電気ポットの外側面の一箇所に、上下方向に長い取手５を備えていることから、電気ポットが転倒した場合には、取手５の重みで容器本体は転がり、図６（ａ），（ｂ）で示す二通りの倒れ方になる。
【００４０】
従って、流入口１５及び折れ曲がり部２３を、図６（ａ），（ｂ）で示したように配置することと、第１案内部１８から折り返して第２案内部１９を設けることにより案内経路を長くすることによって、電気ポットが転倒した場合でも、外部にお湯が漏れ難い構成とすることができる。
【００４１】
また、前記容器本体３を構成する収容部とカバー部との間に形成される空間内に、沸騰検知器を備えている。この沸騰検知器は、前記空間内に蒸気が入り込んで空間内の圧力が所定圧力以上になることにより作動して、水が沸騰したことを検知するようになっている。そして、前記空間内への蒸気の流入は、前記蒸気案内経路１７のうちの排出口１６の近傍箇所で連通するように前記底部材６に形成した開口６Ｊ（図３、図４、図５（ｂ）参照）を通して行われ、図３及び図５（ｂ）に示す沸騰検知器Ｆがこれを検知するようになっている。このように排出口１６の近傍箇所、つまり前記流入口１５から遠い位置に開口６Ｊを備えさせることによって、前記のように電気ポットの転倒時に開口６Ｊにお湯が入り難くしている。例え、開口６Ｊにお湯が入り込んでも、沸騰検知器は、収容部とカバー部とで密閉されているため、外部に入り込んだお湯が流出することはない。なお、沸騰検知器へ導入させる蒸気は、容器本体３の内部の上方部（お湯面上部）より採取しても良いが、この場合、容器本体３の見た目がよくなくデザイン性に劣り、更には容器本体３の洗浄もやり難い。これに対して、蒸気案内経路１７の任意の場所（位置）から蒸気を導入すると、より好適である。
【００４２】
図７（ａ），（ｂ）に示すように、前記蒸気案内経路１７内に、２個（何個でもよい）の堰２４，２４を所定間隔を隔てて設けてもよい。このように堰２４，２４を設けることによって、蒸気案内経路１７の案内幅（高さも）を小さくすることができ、電気ポットの転倒時にお湯の移動速度を堰２４，２４によって減速させることができ、お湯の移動時間を長くすることができる。図７（ａ），（ｂ）では、２つの堰２４，２４のうちの一方を、蒸気案内経路１７の幅方向両端のうちの一端から他端に延びるように配置し、残りの他方を、蒸気案内経路１７の幅方向両端のうちの他端から一端に延びるように配置したが、全ての堰２４，２４を、一端から他端へ延びるように配置してもよい。
【００４３】
又、図８に示すように、前記蒸気案内経路１７に案内方向において案内幅が狭くなる幅狭部分２５を設けて実施することもできる。つまり、膨出部８Ａの内面の左右幅Ｈ２が他の幅Ｈ１よりも狭くなるように特定部分のみ左右の幅を絞っている。このように構成することによって、電気ポットの転倒時にお湯の移動速度を幅が狭くなった幅狭部分２５によりお湯の移動速度を減速させることができ、お湯の移動時間を長くすることができる。
【００４４】
尚、本発明の電気貯湯容器は、上記実施形態に限定されるものではなく、本発明の要旨を逸脱しない範囲で種々の変更が可能である。
【００４５】
例えば、前記実施形態では、蒸気案内経路１７を底部材６と中間部材８とそれらを密閉するためのシール材２１とから構成したが、１つの部材で構成することもできるし、場合によっては４つ以上の部材を用いて実施することもできる。
【００４６】
また、前記実施形態では、蒸気案内経路１７を渦巻き状に構成することによって、案内経路を長くするようにしたが、Ｕ字状又はコの字状に構成するなど、どのような形状に構成してもよい。尚、蒸気案内経路１７を構成する幅広部１９Ｂ（図５（ａ）に示している）は、必ずしも設けなくてもよいが、幅広部１９Ｂを設けると、幅広部１９Ｂがお湯溜め部となってお湯の流出を遅らせる効果がある。
【００４７】
更に、前記実施形態では、取手５を環状に構成したが、逆Ｌ字状又は逆Ｕ字状など、どのような形状であってもよい。
【００４８】
また更に、前記実施形態では、蒸気案内経路１７の上端よりも上方に立ち上げた筒状部２２を備え、筒状部２２の上端から排出される蒸気を取り囲んで前記第１案内部へ下降案内するための覆い部２３を１箇所にのみ備えたが、２箇所以上に備えてもよいし、場合によっては、省略してもよい。
【００４９】
また、前記実施形態では、カバー部材９に形成した排出口１６と蒸気案内経路１７を形成する膨出部８Ａとの間を排気管２０により連結するように構成したが、カバー部材９と膨出部８Ａとの間に隙間の無い状態にすれば、膨出部８Ａの終端にカバー部材９の排出口１６に連通する孔を形成するだけで、排気管２０を省略することができる。
【００５０】
本発明は、電気ポットに適用することができる他、蒸気を逃がすための蒸気案内経路１７を備えたものであれば、どのような電気貯湯容器にも適用することができる。
【図面の簡単な説明】
【００５１】
【図１】電気ポットの全体側面図である。
【図２】カバー部材を取り外した電気ポットの斜視図である。
【図３】蓋体の分解斜視図である。
【図４】底部材の底面図である。
【図５】中間部材を示し、（ａ）はそれの平面図、（ｂ）は中間部材と底部材とで形成される蒸気案内経路の始端と終端とを示す縦断面図である。
【図６】転倒した電気ポットの概略図を示し、（ａ）はポットの正面から見て右側に倒れた状態であり、（ｂ）はポットの正面から見て左側に倒れた状態である。
【図７】蒸気案内経路内に堰を備えた別の中間部材を示し、（ａ）は、それの平面図、（ｂ）は（ａ）におけるＩ−Ｉ線断面図である。
【図８】蒸気案内経路の一箇所を狭くした別の中間部材を示す平面図である。
【符号の説明】
【００５２】
１… ポット本体、２…台座、３…容器本体、４…蓋体、５…取手、５Ａ…把持部、６…底部材、６Ａ…円盤部、６Ｂ…スカート部、６Ｃ…縦壁部、６ａ…上面、７…操作部材、７Ａ…操作部、７Ｂ…揺動部材、７Ｋ…貫通孔、７Ｓ…係止部、７ｃ…傾斜部、８…中間部材、８Ａ…膨出部、８Ｇ…外周縁、９…カバー部材、９Ａ…排気孔、１０…注出口、１１…弁体、１１Ａ…本体、１１Ｂ…弁部、１１Ｃ…弾性材、１２…蓋部、１２Ａ…軸体、１２Ｂ…蓋、１２Ｃ…連結部、１３…コイルスプリング、１４…取込口、１５…流入口、１６…排出口、１７…蒸気案内経路、１８…第１案内部、１９…第２案内部、１９Ａ…折り返し部、１９Ｂ…幅広部、１９Ｃ…経路延長部、２０…排気管、２１…シール材、２２…筒状部、２３…覆い部、２３Ａ…内面、２４…堰、２５…幅狭部分、Ｃ…左右方向中心線、Ｄ…中心、Ｅ…延長線、Ｈ１，Ｈ２…幅、Ｒ１，Ｒ２…領域、Ｘ…水平軸芯
【図１】
2010131234.tif 000003
【図２】
2010131234.tif 000004
【図３】
2010131234.tif 000005
【図４】
2010131234.tif 000006
【図５】
2010131234.tif 000007
【図６】
2010131234.tif 000008
【図７】
2010131234.tif 000009
【図８】
2010131234.tif 000010